(57)【要約】【課題】  畝（２０）に沿って配列された茶樹列（２２）に直掛けして固着する操作が充分に簡易化される茶樹ネット（２）を提供し、そしてまたかかる茶樹ネット（２）を畝に沿って配列された茶樹列に充分簡易に直掛けして固定する方法を提供する。【解決手段】  茶樹ネット（２）における裏面の長手方向両側縁部の各々に、固着ロープ（１８）を挿通することができる固着ロープ挿通手段（１０）を長手方向に間隔をおいて配設する。そして、固着ロープ挿通手段（１０）に適宜の様式で固着ロープを挿通せしめ、かかる固着ロープを適宜の様式で地面に固着する。【選択図】  図１
2014187992.tif 000002
【特許請求の範囲】
【請求項１】
畝に沿って配列された茶樹列に直掛けして固着するための茶樹ネットにおいて、
裏面の長手方向両側縁部の各々には、固着ロープを挿通することができる固着ロープ挿通手段が長手方向に間隔をおいて配設されている、ことを特徴とする茶樹ネット。
【請求項２】
茶樹ネットは経糸と緯糸とを織成して形成或いは編組織を連続して形成することにより編網して形成されており、両側縁部の各々には連続する係止ロープが、長手方向に間隔をおいた連結部位において局部的に編み込むことによって、連結されており、該係止ロープにおける該連結部位間を延在する部分が該固着ロープ挿通手段を構成している、請求項１記載の茶樹ネット。
【請求項３】
該係止ロープは直径が２乃至４ｍｍである合成樹脂製ロープから構成されている、請求項２記載の茶樹ネット。
【請求項４】
該固着ロープ挿通手段は長手方向に２０乃至１００ｃｍの長さに渡って延在する、請求項１から３までのいずれかに記載の茶樹ネット。
【請求項５】
該固着ロープ挿通手段は、茶樹ネットの両側縁部の各々において、両側縁から幅方向内側に５乃至２０ｃｍ離隔して配設されている、請求項１から４までのいずれかに記載の茶樹ネット。
【請求項６】
請求項１から５までのいずれかに記載の茶樹ネットを、畝に沿って配列された茶樹列に直掛けして固着する方法にして、
茶樹ネットにおける該裏面の片側縁部において長手方向片端から長手方向他端に向けて、１本の固着ロープを該固着ロープ挿通手段の各々に順次に挿通せしめ、次いで該固着ロープを茶樹ネットの他側縁部に延在せしめ、しかる後に茶樹ネットの該裏面の該他側縁部において該長手方向他端から該長手方向片端に向けて、該固着ロープを該固着ロープ挿通手段の各々に順次に挿通せしめる固着ロープ挿通工程と、
該固着ロープ挿通工程の後に、茶樹ネットの該裏面を茶樹に向けて茶樹列に茶樹ネットを直掛けする直掛け工程と、
該直掛け工程の後に、該長手方向片端側において該固着ロープの片端部を地面に装着された片端部固着手段に固着すると共に、該長手方向他端側において幅方向に間隔をおいて地面に装着された一対の案内手段に該固着ロ−プを掛け渡し、次いで該長手方向片端側において該固着ロープの他端部を地面に装着された他端部固着手段に固着する固着ロープ処理工程と、
を含むことを特徴とする方法。
【請求項７】
該片端部固着手段、該一対の案内手段及び該他端部固着手段を、茶樹列の幅方向最外側よりも幅方向内側に配置し、該固着ロープ処理工程においては、該固着ロープの該他端部を該他端部固着手段に固着するのに先立って、該固着ロープの該他端部を牽引して、茶樹列の下部において茶樹ネットの長手方向両側縁部を幅方向内側に変位せしめる、請求項６記載の方法。
【請求項８】
請求項１から５までのいずれかに記載の茶樹ネットを、畝に沿って配列された茶樹列に直掛けして固着する方法にして、
茶樹ネットにおける該裏面の長手方向両側縁部の各々において、長手方向片端から長手方向他端に向けて１本の固着ロープを該固着ロープ挿通手段の各々に順次に挿通せしめる固着ロープ挿通工程と、
該固着ロープ挿通工程の後に、茶樹ネットの該裏面を茶樹に向けて茶樹列に茶樹ネットを直掛けする直掛け工程と、
該直掛け工程の後に、該長手方向両側縁部の各々において、長手方向片端側にて該固着ロープの片端部を地面に装着された片端部固着手段に固着すると共に、該長手方向他端側にて該固着ロープの他端部を地面に装着された他端部固着手段に固着する固着ロープ処理工程と、
を含むことを特徴とする方法。
【請求項９】
該片端固着手段及び該他端固着手段を、茶樹列の幅方向最外側よりも幅方向内側に配置し、該固着ロープ処理工程においては、該固着ロープの該他端部を該他端部固着手段に固着するのに先立って、該固着ロープの該他端部を牽引して、茶樹列の下部において茶樹ネットの長手方向両側縁部を幅方向内側に変位せしめる、請求項８記載の方法。
【請求項１０】
該固着ロープは直径３乃至５ｍｍの合成樹脂製ロープである、請求項６から９のいずれかに記載の方法。
【発明の詳細な説明】
【技術分野】
【０００１】
本発明は、畝に沿って配列された茶樹列に遮光ネット或いは茶摘みネットとして直掛けされる茶樹ネット、及びかかる茶樹ネットを畝に沿って配列された茶樹列に直掛けして固着する方法に関する。
【背景技術】
【０００２】
当業者には周知の如く、茶葉の栽培においては、栽培の所要時期に畝に沿って配列された茶樹列に遮光のため或いは茶摘みのために、茶樹列に茶樹ネットを直掛けしている。かような茶樹ネットの典型例は、下記特許文献１に開示されているとおり、経糸と緯糸とを織成して形成或いは編組織を連続して形成することにより編網して形成されている。そして、その長手方向両側縁部の各々には、長手方向に間隔をおいて多数の固着手段が配設されている。固着手段の各々は、茶樹ネットの両側縁部に連結され且つ両側縁から幅方向外側に延出する連結ロープから構成されている。
【先行技術文献】
【特許文献】
【０００３】
【特許文献１】特開２００９−２７８９１２号公報
【発明の概要】
【発明が解決しようとする課題】
【０００４】
而して、上述したとおりの茶樹ネットは、畝に沿って配列された茶樹列に直掛けし、次いで風等に起因して茶樹列から茶樹ネットが離脱するのを防止するために茶樹ネットを所要とおりに固着することが必要であるが、従来の茶樹ネットには、茶樹ネットを所要とおりに固着する操作が著しく煩雑であるという解決すべき問題がある。更に詳述すると、上述したとおりの従来の茶樹ネットを畝に沿って配列された茶樹列に直掛けして固着する際には、最初にロール状に巻かれた茶樹ネットを茶樹列の片端部上に載置し、次いで茶樹列の他端部に向けて漸次巻き戻して茶樹に茶樹ネットを直掛けする。しかる後に、茶樹ネットの長手方向両側縁部の各々において、茶樹ネットに配設されている連結ロープを茶樹の下部に存在する適宜の枝に締結する。連結ロープは茶樹ネットの両側縁部の各々において長手方向に間隔をおいて多数個配設されているので、連結ロープの各々を茶樹の下部に位置する適宜の枝に締結する操作は著しく煩雑である。例えば、畝の長さが５０ｍである場合、茶樹ネットの両側縁の各々には２５乃至３０個の連結ロープが配設されており、１個の茶樹ネットには４０乃至６０の連結ロープが配設されている。従って、４０乃至６０回の締結操作を繰り返し遂行しなければならない。
【０００５】
本発明は上記事実に鑑みてなされたものであり、その第一の技術的課題は、畝に沿って配列された茶樹列に直掛けして固着する操作が充分に簡易化される、新規且つ改良された茶樹ネットを提供することである。
【０００６】
本発明の第二の技術的課題は、畝に沿って配列された茶樹列に茶樹ネットを充分簡易に直掛けして固着することを可能にする、新規且つ改良された方法を提供することである。
【課題を解決するための手段】
【０００７】
本発明者等は鋭意研究及び実験の結果、茶樹ネットにおける裏面の長手方向両側縁部の各々に、固着ロープを挿通することができる固着ロープ挿通手段を長手方向に間隔をおいて配設することによって、上記第一の技術的課題を達成することができることを見出した。そしてまた、茶樹ネットにおける裏面の長手方向両側縁部の各々に、固着ロープを挿通することができる固着ロープ挿通手段を長手方向に間隔をおいて配設して茶樹ネットを使用し、固着ロープ挿通手段に適宜の様式で固着ロープを挿通せしめることによって、上記第二の技術的課題を達成することができることを見出した。
【０００８】
即ち、本発明の一局面によれば、上記第一の技術的課題を達成する茶樹ネットとして、畝に沿って配列された茶樹列に直掛けして固着するための茶樹ネットにおいて、
裏面の長手方向両側縁部の各々には、固着ロープを挿通することができる固着ロープ挿通手段が長手方向に間隔をおいて配設されている、ことを特徴とする茶樹ネットが提供される。
【０００９】
好適には、茶樹ネットは経糸と緯糸とを織成して形成或いは編組織を連続して形成することにより編網して形成されており、両側縁部の各々には連続する係止ロープが、長手方向に間隔をおいた連結部位において局部的に編み込むことによって、連結されており、該係止ロープにおける該連結部位間を延在する部分が該固着ロープ挿通手段を構成している。該係止ロープは直径が２乃至４ｍｍである合成樹脂製ロープから構成されているのが好都合である。該固着ロープ挿通手段は長手方向に２０乃至１００ｃｍの長さに渡って延在するのが好ましい。該固着ロープ挿通手段は、茶樹ネットの両側縁部の各々において、両側縁から幅方向内側に５乃至２０ｃｍ離隔して配設されているのが好適である。
【００１０】
本発明の他の局面によれば、上記第二の技術的課題を達成する方法として、上述したとおりの茶樹ネットを、畝に沿って配列された茶樹列に直掛けして固着する方法にして、
茶樹ネットにおける該裏面の片側縁部において長手方向片端から長手方向他端に向けて、１本の固着ロープを該固着ロープ挿通手段の各々に順次に挿通せしめ、次いで該固着ロープを茶樹ネットの他側縁部に延在せしめ、しかる後に茶樹ネットの該裏面の該他側縁部において該長手方向他端から該長手方向片端に向けて、該固着ロープを該固着ロープ挿通手段の各々に順次に挿通せしめる固着ロープ挿通工程と、
該固着ロープ挿通工程の後に、茶樹ネットの該裏面を茶樹に向けて茶樹列に茶樹ネットを直掛けする直掛け工程と、
該直掛け工程の後に、該長手方向片端側において該固着ロープの片端部を地面に装着された片端部固着手段に固着すると共に、該長手方向他端側において幅方向に間隔をおいて地面に装着された一対の案内手段に該固着ロ−プを掛け渡し、次いで該長手方向片端側において該固着ロープの他端部を地面に装着された他端部固着手段に固着する固着ロープ処理工程と、
を含むことを特徴とする方法が提供される。
【００１１】
該片端部固着手段、該一対の案内手段及び該他端部固着手段を、茶樹列の幅方向最外側よりも幅方向内側に配置し、該固着ロープ処理工程においては、該固着ロープの該他端部を該他端部固着手段に固着するのに先立って、該固着ロープの該他端部を牽引して、茶樹列の下部において茶樹ネットの長手方向両側縁部を幅方向内側に変位せしめるのが好ましい。
【００１２】
本発明の更に他の局面によれば、上記第二の技術的課題を達成する方法として、上述したとおりの茶樹ネットを、畝に沿って配列された茶樹列に直掛けして固着する方法にして、
茶樹ネットにおける該裏面の長手方向両側縁部の各々において、長手方向片端から長手方向他端に向けて１本の固着ロープを該固着ロープ挿通手段の各々に順次に挿通せしめる固着ロープ挿通工程と、
該固着ロープ挿通工程の後に、茶樹ネットの該裏面を茶樹に向けて茶樹列に茶樹ネットを直掛けする直掛け工程と、
該直掛け工程の後に、該長手方向両側縁部の各々において、長手方向片端側にて該固着ロープの片端部を地面に装着された片端部固着手段に固着すると共に、該長手方向他端側にて該固着ロープの他端部を地面に装着された他端部固着手段に固着する固着ロープ処理工程と、
を含むことを特徴とする方法が提供される。
【００１３】
該片端固着手段及び該他端固着手段を、茶樹列の幅方向最外側よりも幅方向内側に配置し、該固着ロープ処理工程においては、該固着ロープの該他端部を該他端部固着手段に固着するのに先立って、該固着ロープの該他端部を牽引して、茶樹列の下部において茶樹ネットの長手方向両側縁部を幅方向内側に変位せしめるのが好ましい。
【００１４】
本発明の上記他の局面及び上記更に他の局面によって提供される方法における該固着ロープは直径３乃至５ｍｍの合成樹脂製ロープであるのが好都合である。
【発明の効果】
【００１５】
本発明の茶樹ネットを使用すれば、多数の連結ロープを茶樹の枝に締結する等の煩雑な操作を必要とすることなく、茶樹ネットの固着ロープ挿通手段に固着ロープを挿通せしめ、かかる固着ロープの端部を適宜に固着するという充分に簡易な操作によって、茶樹ネットを所要とおりに固着することができる。茶樹列に直掛けした茶樹ネットを茶樹列から離脱してロール状に巻き込む際には、固着ロープ挿通手段に挿通したロープはそのままにしておくのが好適であり、この場合には次回の直掛け操作の際に固着ロープ挿通工程を省略することができる。
【図面の簡単な説明】
【００１６】
【図１】本発明に従って構成された茶樹ネットの好適実施形態を展開した状態で示す底面図（裏面図）。
【図２】図１に示す茶樹ネットの裏面の一部を拡大して示す拡大底面図（裏面図）。
【図３】図１に示す茶樹ネットの固着ロープ挿通手段に１本の固着ロープを挿通せしめた状態を示す底面図（裏面図）。
【図４】図１に示す茶樹ネットを茶樹列に直掛けした状態を示す斜面図。
【図５】図１に示す茶樹ネットを茶樹列に直掛けした後に、固着ロープの片端を片端固着手段に固着すると共に、一対の案内手段に掛け渡した状態を示す斜面図。
【図６】固着ロープの他端部を牽引して固着するための牽引固着手段を示す分解斜面図。
【図７】図１に示す茶樹ネットを茶樹列に直掛けした後に、固着ロープの片端部を片端固着手段に固着すると共に、一対の案内手段に掛け渡し、更に固着ロープの他端部を牽引して他端部固着手段に固着した状態を示す斜面図。
【図８】茶樹ネットの両側縁部の各々において１本の固着ロープを使用する場合の、図３と同様の底面図（裏面図）。
【発明を実施するための形態】
【００１７】
以下、添付図面を参照して、本発明に従って構成された茶樹ネット及びかかる茶樹ネットを茶樹列に直掛けする方法の好適実施形態について、更に詳述する。
【００１８】
図１には、遮光ネットとして使用される、本発明に従って構成された茶樹ネットの好適実施形態が図示されている。全体を番号２で示す図示の茶樹ネットは、３乃至７ｍｍ程度の幅を有する合成樹脂製フラットヤーン或いは０．１乃至０．５ｍｍ程度の直径を有する合成樹脂製モノフィラメント又はマルチフィラメントを緯糸４として使用し、直径が０．１乃至０．５ｍｍ程度である合成樹脂製モノフィラメントを経糸６として使用して織成して形成されている。茶樹ネット２における番号８で示す長手方向両側縁部においては、経糸６の密度が局部的に増大せしめられていて、所謂耳部が生成されている。織成して形成された茶樹ネットに代えて、適宜のフラットヤーン或いはモノフィラメント又はマルチフィラメントを使用して編組織を連続して形成することによって編網して形成された茶樹ネットを使用することもできる。
【００１９】
図１と共に図２を参照して説明すると、本発明に従って構成された茶樹ネット２においては、裏面（即ち図１及び図２に図示されている面）の長手方向両側縁部(即ち図１において左右両側縁部)の各々に、長手方向に間隔をおいて固着ロープ挿通手段１０が配設されていることが重要である。図示の実施形態においては、茶樹ネット２の長手方向両側縁部の各々において、長手方向に延在する係止ロープ１２が長手方向に等間隔をおいた連結部位１４において局部的に茶樹ネット２に直接的に編み込まれており、係止ロープ１２における連結部位１４間を延在する部分１６の各々が固着ロープ挿通手段１０を構成している。係止ロープ１２は直径が２乃至４ｍｍ程度の合成樹脂製ロープ、特にナイロン製ロープ、であるのが好都合である。連結部位１４間の間隔、従って固着ロープ挿通手段１０の長手方向延在長さＬ１は２０乃至１００ｃｍ程度であるのが好適である。連結部位１４自体の長手方向長さＬ２は１０乃至２０ｍｍ程度でよい。また、固着ロープ挿通手段１０は、茶樹ネット２の長手方向両側縁部の各々において、両側縁から幅方向内側に５乃至２０ｃｍ程度でよい長さＷ１だけ離隔して配設されているのが好都合である。
【００２０】
所望ならば、茶樹ネット２の長手方向両側縁部の各々において単一の係止ロープ１２を使用して固着ロープ挿通手段１０を構成することに代えて、茶樹ネット２の長手方向両側縁部の各々において比較的短い多数の係止ロープを長手方向に間隔をおいて配列し、かかる係止ロープの両端部を編み込み等の適宜の様式で茶樹ネット２に固定することによって固着ロープ挿通手段を構成することもできる。
【００２１】
次に、上述したとおりの茶樹ネット２を畝に沿って配列された茶樹列に直掛けする方法の好適実施形態について説明する。
【００２２】
（固着ロープ挿通工程）
茶樹ネットを茶樹列に直掛けするのに先立って、固着ロープ挿通工程を遂行する。図３に図示する好適実施形態においては１本のみの固着ロープ１８が使用される。固着ロープ１８は直径が３乃至５ｍｍ程度である合成樹脂製ロープ、特にナイロン製ロープ、であるのが好都合である。最初に、図３において符号１８Ａで示す如く、茶樹ネット２の裏面の片側縁部（図３において右側縁部）において、長手方向片端（図３において下端）から長手方向他端（図３において上端）に向けて、固着ロープ１８を固着ロープ挿通手段１０の各々に順次に挿通せしめる。例えば、最初の固着ロープ挿通手段１０については、左側から右側に向けて固着ロープ挿通手段１０の下方に固着ロープ１８を挿通せしめ、２番目の固着ロープ挿通手段１０については、右側から左側に向けて固着ロープ挿通手段１０の下方に固着ロープ１８を挿通せしめ、３番目の固着ロープ挿通手段１０については、左側から右側に向けて固着ロープ挿通手段１０の下方に固着ロープ１８を挿通せしめる。次いで、図３に符号１８Ｂで示す如く、茶樹ネット２の他端側（図３において上端側）において、固着ロープ１８を茶樹ネット２の他側縁部（図３において左側縁部）に延在せしめる。しかる後に、図３において符号１８Ｃで示す如く、茶樹ネット２の裏面の他側縁部において、上記長手方向他端（図３において上端）から上記長手方向片端（図３において下端）に向けて、固着ロープ１８を固着ロープ挿通手段１０の各々に順次に挿通せしめる。例えば、最初の固着ロープ挿通手段１０については、左側から右側に向けて固着ロープ挿通手段１０の下方に固着ロープ１８を挿通せしめ、２番目の固着ロープ挿通手段１０については、右側から左側に向けて固着ロープ挿通手段１０の下方に固着ロープ１８を挿通せしめ、３番目の固着ロープ挿通手段１０については、左側から右側に向けて固着ロープ挿通手段１０の下方に固着ロープ１８を挿通せしめる。そして、固着ロープ１８の両端部は茶樹ネット２の上記片端側において茶樹ネット２から延出せしめる。
【００２３】
（直掛け工程）
次いで、直掛け工程を遂行する。図４を参照して説明すると、この直掛け工程においては、例えば、裏面を外側にして長手方向に巻き付けた茶樹ネット２を、畝２０に沿って配列された茶樹列２２の片端部上に載置し、茶樹列２２に沿って茶樹ネット２を漸次巻き出し、かくして図４に図示するとおりに茶樹列２２に茶樹ネット２を直掛けする。固着ロープ１８の部分１８Ｂは茶樹列２２よりも後方（図４において右上方)に位置し、固着ロープ１８の両端部は茶樹列２２よりも前側（図４において左下方）に延出する。
【００２４】
（固着ロープ処理工程）
上記直掛け工程の後に、次のとおりの固着ロープ処理工程を遂行する。図５を参照して説明を続けると、長手方向片端側（図５において左下側）において、固着ロープ１８の片端部を地面に装着された片端部固着手段２４に固着する。片端部固着手段２４は、上記直掛け工程に先立って或いは上記直掛け工程の後に地中に下部を埋め込んだ円筒形状或いは中実円柱形状の合成樹脂製、金属製或いは木製部材でよく、固着ロープ１８の片端部を片端部固着手段２４に括り付けて固着することができる。長手方向他端側（図５において右上側）においては、幅方向に間隔をおいて地面に装着された一対の案内手段２６及び２８に固着ロープ１８の部分１８Ｂを掛け渡す。一対の案内手段２６及び２８の各々も、上記直掛け工程に先立って或いは上記直掛け工程の後に地中に下部を埋め込んだ円筒形状或いは中実円柱形状の合成樹脂製、金属製或いは木製部材でよい。更に、好ましくは固着ロープ１８の他端部を牽引した後に、固着ロープ１８の他端部を地面に装着した他端部固着手段に固着する。
【００２５】
図６には、上記他端部固着手段として機能すると共に固着ロープ１８の他端部を牽引するための牽引手段としても機能する牽引固着機構３０が図示されている。この牽引固着機構３０は、大部分が地中に埋め込まれる固定部材３２とこの固定部材３２に組み合わされる回転部材３４とを含んでいる。合成樹脂或いは金属から形成することができる固定部材３２は細長い円筒形状であり、その長手方向中間部外周面には半径方向に突出する一対の平板形状の羽根３６が付設され、その上端部には貫通孔３８が穿孔されている。図５及び図７に図示する如く、固定部材３２はその大部分が地中に埋め込まれる。固定部材３２の羽根３６の大部分も地中に埋め込まれ、それ故に固定部材３２が長手方向中心軸線を中心として回転することが防止される。同様に合成樹脂或いは金属から形成することができる回転部材３４は比較的小径の円筒形下部３４Ａ、円錐台筒形状の境界部３４Ｂ及び比較的大径の円筒形上部３４Ｃを有する。円筒形下部３４Ａの外径は上記固定部材３２の内径と実質上同一乃至これより幾分小さく、円筒形上部３４Ｃの外径は上記固定部材３２の外径と実質上同一乃至これにより幾分大きい。円筒形下部３４Ａには貫通孔４０が穿孔されており、そしてまた円筒形上部３４Ｃの下端部には貫通孔４２が穿孔され、円筒形上部３４Ｃの上端部には貫通孔４４が穿孔されている。図５及び図７に図示如く、回転部材３４は、その円筒形下部３４Ａを固定部材３２内に挿入することによって、固定部材３２に回転自在に組み合わされる。
【００２６】
固着ロープ１８の他端部を牽引して固着する際には、図５に図示する如く、固着ロープ１８の他端部を回転部材３４の貫通孔４２に挿通せしめる。次いで、回転部材３４の貫通孔４４に把持部材４６を挿通せしめ、この把持部材４６を把持して回転部材３４を、例えば上方から見て時計方向に回転せしめる。かくすると、図７に図示する如く、回転部材３４の回転に応じて固着ロープ１８の他端部が漸次回転部材３４に巻き付けられ、これによって固着ロープ１８の他端部が牽引される。固着ロープ１８の他端部を所要長さ牽引した後には、回転部材３４の貫通孔４０と固定部材３２の貫通孔３８とを整合せしめて、貫通孔４０及び３８に係止部材４８を挿通せしめ、これによって固定部材３２に対する回転部材３４の回転を防止し、牽引した固着ロープ１８の他端部が巻き戻されるのを防止する。かくして固着ロープ１８を所要とおりに固着すると、固着ロープ１８を介して茶樹ネット２も所要位置に固着される。上記把持部材４６及び係止部材４８は合成樹脂或いは金属から形成された円筒棒或いは中実丸棒から構成することができる。
【００２７】
図５及び図７を参照することによって明確に理解される如く、片端部固着手段２４、一対の案内手段２６及び２８並びに他端部固着手段として機能する牽引固着機構３０は、茶樹列２２の幅方向最外側よりも幅方向内側にて地中に固着するのが望ましい。かくした場合、上述したとおりにして固着ロープ１８の他端部を牽引すると、図７に図示する如く、垂れ下がっている茶樹ネット２の両側下端部は、固着ロープ１８の牽引に応じて茶樹列２２の下部において幅方向内側に変位せしめられて絞り込まれ、かかる状態で茶樹ネット２が固着される。必要に応じて茶樹の下部の両側部の枝を伐採し、茶樹ネット２の両側下端部の幅方向内側への変位が茶樹によって妨害されるのを回避することができる。
【００２８】
（茶樹ネット離脱工程）
茶樹ネット２を茶樹列２２から離脱する際には、牽引固着機構３０における係止部材４８を固定部材３２及び回転部材３４から離脱せしめ、次いで回転部材３４を上方から見て反時計方向に回転せしめ、固着ロープ１８の他端部を回転部材３４から巻き戻して牽引固着機構３０から固着ロープ１８の他端部を解放する。また、固着ロープ１８の片端部を片端部固着手段２４から解放する。しかる後に、茶樹ネット２を茶樹列２２の片側（図７において左下側）或いは他側（図７において右上側）から漸次巻き付け、茶樹列２２から離脱することができる。茶樹ネット２の固着ロープ挿通手段１０に所要とおりに挿通せしめた固着ロープ１８はそのまま茶樹ネットに残留せしめて、茶樹ネット２と共に保管することができる。かくした場合には、茶樹ネット２の次回の使用時に、固着ロープ挿通工程を省略することができる。
【００２９】
図８は、茶樹ネット２を茶樹列に直掛けする方法の変形例を図示している。この変形例においては、固着ロープ挿通工程において、茶樹ネット２の裏面の長手方向両側縁部の各々において１本の固着ロープ１８が使用され、従って合計で２本の固着ロープ１８が使用される。茶樹ネット２の長手方向両側縁部の各々において、長手方向片端（図８において下端）から長手方向他端（図８において上端）に向けて固着ロープ１０が固着ロープ挿通手段１０の各々に順次に挿通される。そして、固着ロープ処理工程において、茶樹列２２に直掛けされた茶樹ネット２の長手方向両側縁部の各々において、固着ロープ１８の片端部が地面に装着された片端部固着手段(図示していない)に固着され、固着ロープ１８の他端部が牽引されると共に地面に装着された他端部固着手段（図示していない)に固着される。固着ロープ１８の各々の他端部の牽引及び固着には、図６に図示をするとおりの牽引固着機構３０を利用することができる。変形例における上述した操作以外の操作は図３乃至図７を参照して説明した上記方法における操作と実質上同一である。
【符号の説明】
【００３０】
２：茶樹ネット
４：緯糸
６：経糸
１０：固着ロープ挿通手段
１２：係止ロープ
１４：連結部位
１８：固着ロープ
２０：畝
２２：茶樹列
２４：片端部固着手段
２６：案内手段
２８：案内手段
３０：牽引固着機構（他端部固着手段）
【図１】
2014187992.tif 000003
【図２】
2014187992.tif 000004
【図３】
2014187992.tif 000005
【図４】
2014187992.tif 000006
【図５】
2014187992.tif 000007
【図６】
2014187992.tif 000008
【図７】
2014187992.tif 000009
【図８】
2014187992.tif 000010